(57)【要約】【課題】電源がＯＦＦされている状態でマイクロコンピュータを動作させるための電池等の回路を追加することなく、外部から特定操作がなされたか否かを判断できる照明ランプを提供する。【解決手段】照明装置２００は、照明器具１５０とこれに取り付けられる照明ランプとしての直管形ＬＥＤランプ１００とを備えている。直管形ＬＥＤランプ１００内に設けられたマイクロコンピュータ４２は、電源ＯＮ後の経過時間と記憶されている基準値とを比較してその比較結果を不揮発性のメモリ装置３９に電源ＯＦＦ後にも保持する。壁スイッチ４３による電源ＯＮ／ＯＦＦ操作が複数回連続してなされたときは例えばインピーダンス制御を実効するための条件である特定操作がなされたとして、安定器３５のインピーダンスポイントを探すためのキャリブレーションを実行する。【選択図】図１
2017191752.tif 000002
【特許請求の範囲】
【請求項１】
外部操作により電源ＯＮ／ＯＦＦする照明ランプであって、
ランプ本体に設けられ、電源ＯＮ後の時間を計測する時間計測手段と、
前記ランプ本体に設けられた不揮発性のメモリ装置と、
前記ランプ本体に設けられ、電源ＯＮ後に前記時間計測手段により計測される時間と基準値とを比較し、電源ＯＦＦ前に前記時間計測手段により計測される時間が前記基準値を超えた場合には基準値超え情報を前記メモリ装置に記憶する制御手段と、
を有する照明ランプ。
【請求項２】
請求項１に記載の照明ランプにおいて、
前記制御手段は、電源ＯＮ後に前記メモリ装置に前記基準値超え情報が記憶されていることが確認された場合、前記時間計測手段による時間計測が開始する前に、前記基準値超え情報をクリアして前記基準値を前記メモリ装置に記憶する照明ランプ。
【請求項３】
請求項２に記載の照明ランプにおいて、
前記制御手段は、電源ＯＮ時に前記メモリ装置に記憶されている情報が前記基準値と確認された場合あるいは前記基準値が所定回数連続して確認された場合には特定操作がなされたと判断する照明ランプ。
【請求項４】
請求項３に記載の照明ランプにおいて、
前記制御手段は、前記特定操作がなされたと判断した場合、安定器のインピーダンスポイントを探すためのキャリブレーションを実行する照明ランプ。
【請求項５】
請求項３又は４に記載の照明ランプにおいて、
前記特定操作が、壁スイッチによる電源ＯＮ／ＯＦＦ操作である照明ランプ。
【請求項６】
請求項１〜５のいずれか１つに記載の照明ランプにおいて、
前記ランプ本体の内部に複数のＬＥＤ素子が配置されている照明ランプ。
【請求項７】
請求項１〜６のいずれか１つに記載の照明ランプと、照明器具と、を備えた照明装置。
【発明の詳細な説明】
【技術分野】
【０００１】
本発明は、照明ランプ及び照明装置に関する。
【背景技術】
【０００２】
ＬＥＤ（Light Emitting Diode）素子を光源とするＬＥＤランプが商品化されている。
蛍光灯を点灯させるための既存の照明器具を、安定器の構造を変更することなくそのまま用いてＬＥＤランプを点灯することが行われている。このようなＬＥＤランプは工事レスタイプと呼ばれている。
この種のタイプのＬＥＤランプでは、ランプ内にマイクロコンピュータが搭載されており、接続される安定器毎に最適なインピーダンス制御を行うことでより省エネルギー性を確保するようになっている。
【０００３】
上記インピーダンス制御では、ＬＥＤランプの最初の設置時に接続される安定器で最適なインピーダンスポイントを探すキャリブレーションを実行する。その結果を不揮発メモリに記憶しておいて次回からの通電では記憶されたキャリブレーション値を流用することでキャリブレーションプロセスを省略し、起動時間の短縮を図っている。
【０００４】
ユーザーの引っ越し等によりＬＥＤランプを設置する照明器具が変わった場合、安定器も変更となることがあるため、省エネルギー性を確実に確保するためには、不揮発メモリのキャリブレーション値をリセットし、再度キャリブレーションを実行する必要がある。
再度のキャリブレーションを実行するための指示は外部操作により与える必要があるが、照明機器の場合には人が外部操作を行えるのは、例えば室内の壁に設けられている壁スイッチだけである場合が多い。
照明機器に対する点灯モードや明るさの変更などの指示を、壁スイッチによる特定のＯＮ／ＯＦＦ操作により行うことが知られている（例えば、特許文献１）。
【０００５】
上記のように、ランプ内蔵のマイクロコンピュータによる制御では、次の制御を行う。すなわち、壁スイッチによる外部からの特定の電源ＯＮ／ＯＦＦ操作パターン（ＯＮ／ＯＦＦ時間）を計測し、特定操作パターンであると判断したときに、例えばキャリブレーション値をリセットして、インピーダンス制御を実行する。
しかしながら、マイクロコンピュータを含めた照明装置全体が安定器の出力電源を利用して動作している。このため、電源ＯＦＦ状態ではマイクロコンピュータを動作させるための電池等の回路を別途なければ壁スイッチによる特定のＯＮ／ＯＦＦ操作を検出できないという問題があった。
【０００６】
特許文献１の段落「００１９」には、「マイコンである間引き制御部２８は、・・・に電圧が印加されなくなるため、停電状態であると判断し、停電時間を計測する。」と記載されている。しかしながら、壁スイッチにより電源がＯＦＦされた後は安定器からの電力供給が遮断されるため、停電時間（オフ時間）を計測するには、マイコンを動作させるための電池等の回路（蓄電器の概念を含む）が別途必要となり、構成の複雑化、高コスト化を来す。
【発明の概要】
【発明が解決しようとする課題】
【０００７】
本発明は、このような現状に鑑みて創案されたもので、電源がＯＦＦされている状態でマイクロコンピュータを動作させるための電池等の回路を追加することなく、外部から特定操作がなされたか否かを判断できる照明ランプの提供を目的とする。
【課題を解決するための手段】
【０００８】
上記目的を達成するために、本発明は、外部操作により電源ＯＮ／ＯＦＦする照明ランプであって、ランプ本体に設けられ、電源ＯＮ後の時間を計測する時間計測手段と、前記ランプ本体に設けられた不揮発性のメモリ装置と、前記ランプ本体に設けられ、電源ＯＮ後に前記時間計測手段により計測される時間と基準値とを比較し、電源ＯＦＦ前に前記時間計測手段により計測される時間が前記基準値を超えた場合には基準値超え情報を前記メモリ装置に記憶する制御手段と、を有する。
【発明の効果】
【０００９】
本発明によれば、電源がＯＦＦされている状態でマイクロコンピュータを動作させるための電池等の回路を追加することなく、外部から特定操作がなされたか否かを判断する照明ランプを提供できる。
【図面の簡単な説明】
【００１０】
【図１】本発明の第１の実施形態に係る照明装置の回路図である。
【図２】特定操作パターンとキャリブレーション値のリセットタイミングを示す信号図である。
【図３】制御動作を示すタイミングチャートである。
【図４】制御動作を示すフローチャートである。
【図５】従来の特定操作を示す信号図である。
【図６】第２の実施形態における制御動作を示すタイミングチャートである。
【図７】同制御動作を示すフローチャートである。
【図８】本発明に係る照明装置の一例の分解斜視図である。
【図９】本発明に係る直管形ＬＥＤランプの一例のカバーを取り外した状態の斜視図である。
【図１０】本発明に係る直管形ＬＥＤランプの一例の筐体の一部をカットし、口金を外した状態の斜視図である。
【図１１】本発明に係る直管形ＬＥＤランプの一例の構成を示す図で、（ａ）は一端部における一部切り欠きの分解斜視図、（ｂ）は他端部における一部切り欠きの分解斜視図である。
【図１２】ＬＥＤ基板の実装構成を示す図で、（ａ）は一端部の分解斜視図、（ｂ）は他端部の分解斜視図である。
【図１３】本発明に係る直管形ＬＥＤランプの一例において、図９のＡ方向から見た図である。
【発明を実施するための形態】
【００１１】
以下、本発明の実施形態を図を参照して説明する。
まず、図８乃至図１３に基づいて、本実施形態に係る照明ランプとしての直管形ＬＥＤランプ及び照明装置の基本的な構成を説明する。
図８は、照明装置２００の外観を示す分解斜視図である。照明装置２００は、直管形ＬＥＤランプ１００と、直管形ＬＥＤランプ１００を装着する照明器具（灯具）１５０とを備えている。
照明器具１５０は、蛍光灯を点灯させるための器具と同じものであり、ソケット１５１ａ、１５１ｂの穴位置に合わせて直管形ＬＥＤランプ１００の端子（４ａ〜４ｄ）を差し込む。
商業用電流が端子（４ａ〜４ｄ）から直管形ＬＥＤランプ１００内の後述するＬＥＤ素子に流れ、直管形ＬＥＤランプ１００が点灯するようになっている。
【００１２】
直管形ＬＥＤランプ１００は、主に、棒状（平板状、筒状の概念を含む）の筐体２と、透光性で且つ拡散性のカバー部材としてのカバー３と、照明器具１５０に電気的に接続可能な口金１ａ、１ｂとから構成されている。筐体２、カバー３及び口金１ａ、１ｂはランプ本体を構成している。
ここでは、カバー３は透明のものを用いている。カバー３の拡散性は、カバー表面にプリズム状の凹凸を付加するなどして形状的に付与してもよく、拡散材料を含むことにより付与してもよい。
拡散材料を含む場合には、拡散材料でカバー３全体を形成してもよく、拡散材料を添加ないし含有させて拡散性を付与してもよい。
【００１３】
筐体２は、断面形状が長手方向（軸方向）全体に亘って略同一の半円筒状（筒状）に形成されている。
内部で生じる熱の放熱機能を向上させるために、筐体２の外面には凹凸が付与され（図１３参照）、表面積を大きくしている。
筐体２は、熱伝導率の大きい金属材料で形成されている。筒形状であるために、押出し成形や引き抜き成形等の加工方法により、断面形状が均一な筐体２を安価に製作できる。
【００１４】
金属材料としては、アルミニウム合金やマグネシウム合金が多く用いられるが、他の押出し材料等でも良い。
外周部の凹凸により、リブや放熱フィンを設けるのと同じような放熱機能を持たせることができる。
ここでは放熱性向上を目的として、筐体２の外周部に凹凸を設けるようにしているが、筐体２と後述する駆動基板（電源基板）や電気部品との絶縁性が確保できれば内周部に凹凸を設けても良い。
【００１５】
カバー３は、筐体２の外径とほぼ同じ外径（曲率）を有し、筐体２の長手方向に沿う開口部を有する半円形状に形成されている。
すなわち、カバー３は円弧状の断面形状を有し、筐体２の一側面を長手方向に亘って覆う大きさを有している。
カバー３は、図１３に示すように、筐体２の外面に設けた軸方向に延びる溝２１に、端縁３３を嵌め込む形で取り付けられ、筐体２との一体構成は円筒形状となる。
図８に示すように、口金１ａ、１ｂは、筐体２とカバー３との一体構成であるランプ本体の長手方向両端部にその外面を覆うように設けられている。
口金１ａ、１ｂには、図１１に示すように、蛍光灯を点灯可能な照明器具（蛍光灯照明器具）１５０に搭載可能な端子４ａ〜４ｄが装備されている。
【００１６】
口金１ａ、１ｂの端子４ａ〜４ｄと、口金１ａ、１ｂに接続されたコネクタ１６から延びるリ−ド線６ａ、６ｂを介して電源基板７に電流が供給される。
端子４ａ〜４ｄと、リ−ド線６ａ、６ｂとを直接はんだ付けなどの方法で電気的に接続しても問題はない。
口金１ａ、１ｂは、複数のねじ５ａ〜５ｄによって筐体２に固定されることで、筐体２とこれに嵌合されたカバー３とが一体になるように包み込んでいる。
【００１７】
口金１ａ、１ｂは、ねじ止めではなく、筐体２にカシメ等の手段により固定してもよい。口金１ａ、１ｂの形状は、既存の蛍光灯の両端部に位置する口金と略同一の形状となっている。
したがって、蛍光灯が用いられている既存の照明器具に対して、直管形ＬＥＤランプ１００を蛍光灯に代えて取り付けることにより、照明器具の交換を要することなくＬＥＤランプの照明装置を構成することができる。
これにより、別途新たな照明器具を取り付ける場合に比べて、設備コストや工事コストを大幅に低減できるとともに、交換作業の労力の低減、時間短縮を実現できる。
【００１８】
図１３に示すように、筐体２の平坦部（半円形の弦に相当する部分）３２の外側であってカバー３の内方には、カバー３に対向して、実装基板としてのＬＥＤ基板１１が粘着性を有するシート１０を介して固定（支持）されている。
シート１０は、ＬＥＤで発生する熱を筐体２に伝え易くするために、すなわち放熱を促進させるために、熱伝導性のよい材質（例えば放熱シリコ−ンゴム等）が望ましい。
電源基板７は、平坦部３２の内側に沿うように、筐体２の内部に配置されている。
図９に示すように、ＬＥＤ基板１１は細長い長方形状のプリント基板であり、ＬＥＤ基板１１ａとＬＥＤ基板１１ｂとから構成されている。
【００１９】
ＬＥＤ基板１１の分割構成に対応して、シート１０も長手方向に分割されている。
ＬＥＤ基板１１ａ、１１ｂにはそれぞれ、ＬＥＤ素子１２ａ、１２ｂが筐体２の長手方向に所定の間隔で複数実装されている。
ＬＥＤ素子１２は、ＥＬ（Electro Luminescence）効果を持つ半導体発光素子光源である。
【００２０】
図１０に示すように、電源基板７は筐体２の長手方向に延びる細長い長方形状に形成されており、その実装面には直流電源変換用の電子部品９が長手方向に間隔をおいて複数搭載されている。
【００２１】
電子部品９によって直流に整流された電流は、図１２（ａ）に示すリード線１３ａ、１３ｂを通して実装基板１１ａ、１１ｂに供給される。
ＬＥＤ基板１１ａ、１１ｂの間は、図示しないリード線やジャンパー線などで電気的に接続されている。
本実施形態では半導体発光素子を実装する実装基板（ＬＥＤ基板）を２枚の直列配置構成としているが、１枚や３枚以上の直列配置構成でもよく、並列構成でもよい。
【００２２】
図１乃至図５に基づいて本発明の第１の実施形態を説明する。
図１は、照明装置２００の回路図である。照明器具１５０には外部からは見えない状態に安定器３５が配置されている。図１において、符号３６は交流電源（商用電源）を、４３は壁スイッチを示している。
直管形ＬＥＤランプ１００の内部には、周波数判別回路３７と、ＬＥＤ電流検出回路３８と、不揮発性のメモリ手段としてのメモリ装置３９と、インピーダンス制御部４０と、スイッチング回路４１と、これらを制御する制御手段としてのマイクロコンピュータ４２とが備えられている。
【００２３】
マイクロコンピュータ４２は、直管形ＬＥＤランプ１００及び周辺回路の制御、外部操作による電源ＯＮ／ＯＦＦの特定操作パターンを検出する機能を有している。マイクロコンピュータ４２により、特定操作パターンを判断するための判断情報（電源ＯＮ後の経過時間が基準値内か否か）を作成し、メモリ装置３９に記憶する。なお、時間計測には、例えばマイクロコンピュータ４２内部のタイマ機能を使用する。
メモリ装置３９は、前記判断情報が記録される装置である。メモリ装置３９には、前記判断情報の他に、キャリブレーション値、ログ、マイクロコンピュータバージョン情報などの情報も記憶可能である。
【００２４】
マイクロコンピュータ４２は、通電開始（電源ＯＮ）後の時間を計測する時間計測手段（タイマ）と、メモリ装置３９に記憶されている基準値と、前記時間計測手段によって計測された経過時間とを比較し、電源ＯＦＦ前に経過時間が前記基準値を超えた場合には基準値超え情報をメモリ装置３９に記憶する。
【００２５】
壁スイッチ４３の電源ＯＮ／ＯＦＦ操作により、交流電源３６から安定器３５を介して直管形ＬＥＤランプ１００への通電がＯＮ／ＯＦＦされる。
周波数判別回路３７は、電源周波数の精度を含めたばらつきを考慮しても、安定器３５の方式がグロースタータ式又はラピッドスタート式の場合における周波数（５０／６０±１Ｈｚ）と、市場に流通するインバータ式の場合における周波数（２０〜１００ｋＨｚ）とを明確に峻別できる。このため、その峻別結果に応じてキャリブレーションのリセット手段として使用可能である。
周波数判別回路３７の回路構成としては、所定のカットオフ周波数を設定し、Ｈｉｇｈ Ｐａｓｓ Ｆｉｌｔｅｒ構成、またはＬｏｗ Ｐａｓｓ Ｆｉｌｔｅｒ構成とし、その出力をマイクロコンピュータ４２に入力する。
【００２６】
マイクロコンピュータ４２はその入力に応じて、スイッチング回路４１を通すか通さないかの制御モードを選択できる出力をする。また、マイクロコンピュータ４２は、周波数判別結果をメモリ装置３９又はマイクロコンピュータ４２の内部のメモリ装置にログとして残す。
【００２７】
ＬＥＤ電流検出回路３８では、ＬＥＤ素子１２に流れるラインにインピーダンス素子（例えば、抵抗）を設けて、流れる電流により発生するインピーダンス素子両端の電圧を利用する。他に電流センサやホール素子などを使う方法もあるが、コストを考えると前者の方法が好ましい。
流れる電流により発生した電圧は、マイクロコンピュータ４２のＡＤコンバータ端子に入力して変換し、その値をメモリ装置３９又はマイクロコンピュータ４２の内部のメモリ装置にログとして残す。
【００２８】
メモリ装置３９は、周波数判別回路３７の結果とＬＥＤ電流の変換値とがログとして記録される装置である。メモリ装置３９としては、マイクロコンピュータ４２内部の不揮発性メモリ（Ｆｌａｓｈ ＲＯＭ）でも可能であり、マイクロコンピュータ４２の周辺のＥＥＰＲＯＭでも可能である。マイクロコンピュータ４２は、解析時にはメモリ装置３９からログ記録を抽出する。
【００２９】
インピーダンス制御部４０は、マイクロコンピュータ４２の出力信号により、スイッチング動作を行い、ＬＥＤ素子１２に流れる電流を分流する。この動作により、安定器３５からみた場合、インピーダンスを制御することができる。
【００３０】
周波数判別回路３７の判別の結果、直管形ＬＥＤランプ１００への外部入力電流が高周波ではない場合、マイクロコンピュータ４２はスイッチング回路４１を通して高周波でスイッチング動作が行われるように制御し、ＬＥＤ素子１２に一定の電流が流れるようにする。スイッチング回路４１としては、例えば降圧チョッパを用いる。
【００３１】
ユーザーが照明ランプを別の照明器具に設置した時に、キャリブレーションをやり直すための外部からの特定操作及びその判断について説明する。
図２に示すように、ユーザーによって壁スイッチ４３による電源ＯＮ／ＯＦＦ操作が例えば１秒以内に連続してあるいは連続的に所定の回数（例えば５回）なされた場合、マイクロコンピュータ４２は所定の条件となったと判断する。
すなわち、特定操作がなされたと判断し、記憶されているキャリブレーション値をリセットして再度安定器３５で最適なインピーダンスポイントを探すキャリブレーションを実行する。
ユーザーが照明ランプを別の照明器具に設置する例としては、引っ越し等により設置場所が変わる場合の他に、同じ場所での異なる照明器具への移し替えも含まれる。同じ場所でも照明器具ごとに安定器の種類が異なる場合があるからである。
【００３２】
［特定操作か否かの判断例１］
特定操作か否かの判断例１の工程を、図３のタイミングチャートに基づいて説明する。
壁スイッチ４３により電源をＯＮすると(1)、直管形ＬＥＤランプ１００への通電がなされ、マイクロコンピュータ４２が起動する。なお、図３ではマイクロコンピュータを「マイコン」と、メモリ装置３９を「メモリ」と略して表示している(他の図において同じ)。マイクロコンピュータ４２は起動時に以下の処理を行う。
・時間計測開始（タイマ・スタート）
・メモリ装置３９に起動時間（電源ＯＮ時間）が１秒以内であることの基準値情報をセットして記憶する。例えば、メモリ上のあるアドレスの内容を「０」⇒「１」にセットする。
この例では、特定操作として１秒以内の電源ＯＮ時間（電源ＯＮから１秒以内に電源ＯＦＦする時間）である場合としているが、この時間（基準値）は任意の時間で良い。例えば、０．５秒以内でも良いし、２秒以内でも良い。
【００３３】
壁スイッチ４３により電源がオフされる(2)。この時は強制的に電力供給が停止するので、マイクロコンピュータ４２は動作電力が無くなり、何もできない。電源ＯＮから１秒未満での電源ＯＦＦであり、メモリ装置３９は不揮発性であるため、電源ＯＮ時間は１秒以内であることの判断情報はセットされた状態に維持される。例えば、あるアドレスの内容が「１」の状態が電源ＯＦＦ後にもメモリ装置３９に保持される。
【００３４】
その後、壁スイッチ４３により電源をＯＮすると(3)、マイクロコンピュータ４２が起動して以下の処理を行う。
・この起動時にメモリ装置３９に保持されている「電源ＯＮ時間は１秒以内」であることの判断情報を確認する。セットされた判断情報が「１」であることにより、前回の電源ＯＮ操作では１秒以内に電源がＯＦＦされたことが判断できる。
・時間計測開始（タイマ・スタート）
・メモリ装置３９に電源ＯＮ時間が１秒以内であることの判断情報をセットして記憶する。例えば、メモリ上のあるアドレスの内容を「０」⇒「１」にセットする。流れとしてはこのようになるが、判断情報「１」は既にセットされた状態であるのでメモリに書き込まなくても良い。
【００３５】
マイクロコンピュータ４２は起動から１秒経過した場合には(4)、そのタイミングで、電源ＯＮ時間が１秒以内であることの情報をクリアして、メモリ装置３９に基準値超え情報を記憶する。例えば、メモリ上のあるアドレスの内容を「１」⇒「０」にセットする。
その後、壁スイッチ４３により電源がＯＦＦされる(5)。
この時は強制的に電力供給が停止するのでマイクロコンピュータ４２は何もできない。メモリ装置３９は不揮発性であるため、電源ＯＮ時間が１秒以内であることの情報はクリアされた状態で保持される。例えば、あるアドレスの内容が「０」の状態が電源ＯＦＦ後にもメモリ装置３９に保持される。
【００３６】
次に壁スイッチ４３により電源をＯＮすると(6)、マイクロコンピュータ４２が起動して以下の処理を行う。
・この起動時にメモリ装置３９内の電源オン時間が１秒以内であることの判断情報を確認する。判断情報は「１」がクリアされて「０」となっていることにより、前回の壁スイッチ４３による操作では１秒以内に電源がＯＦＦされていないことが判断できる。
・時間計測開始（タイマ・スタート）
・メモリ装置３９に電源ＯＮ時間が１秒以内であることの判断情報をセットして記憶する。例えば、メモリ上のあるアドレスの内容を「０」⇒「１」にセットする。
【００３７】
上記のように、マイクロコンピュータ４２が動作可能な電源ＯＮ時に、前回の電源ＯＮ時に一定時間以内に電源ＯＦＦ操作が行われたかどうかを判断することができる。
従って、例えば、図２に示すように、１秒以内に電源ＯＦＦする壁スイッチ操作を５回連続行った場合は、特定操作パターンが行われたと判断することができる。
なお、このように特定操作を複数回の連続パターンとして判断する場合は、メモリ装置に連続している回数も記憶する必要がある。どのような特定操作パターンにするかは任意である。また、特定操作と判断するときの電源ＯＮ時間は、上記の例では１秒以内としているが、この時間も任意である。例えば、０．５秒でも良いし、２秒でも良い。
【００３８】
上記の特定操作か否かの判断制御がない場合、例えば、図２では壁スイッチのＯＦＦタイミングはマイクロコンピュータの動作用電源が切れてしまうタイミングなので、単純にＯＮしている時間を計測することはできない。
図５では、ＯＦＦ期間（Ｔ１以内と記載の部分）はマイクロコンピュータの動作用電源が切れている状態で、マイクロコンピュータが動作していないので、時間計測することはできない。
【００３９】
上記のように、本発明では、電源ＯＦＦ状態でマイクロコンピュータ４２を動作させることなく、電源ＯＮ状態の間にマイクロコンピュータ４２が不揮発性のメモリ装置３９に電源ＯＮ時間を判断するための情報を残すようにしている。
このようにすることで、電池等の回路を別途設けなくても、壁スイッチ４３による電源ＯＮ／ＯＦＦの特定操作パターンを判断できる。
【００４０】
図４に基づいて、マイクロコンピュータ４２による特定操作パターンの検出動作のフローを説明する。
壁スイッチ４３による照明ランプＯＮ操作（電源ＯＮ操作）がなされると（Ｓ１）、マイクロコンピュータ４２が起動し（Ｓ２）、マイクロコンピュータ４２は前回の操作が特定操作であったか否かを確認する（Ｓ３）。すなわち、メモリ装置３９に１秒以内の情報がセットされているか否かを確認する。
前回の操作が特定操作であったと判断した場合には、特定操作としてカウントし（Ｓ４）、累積カウント数が所定値（例えば５回）になったか否かをチェックする（Ｓ５）。累積カウント数が所定値になった場合には、例えばインピーダンス制御を実行するための条件に達したと判断し、メモリ装置３９のキャリブレーション値をリセットしてインピーダンス制御を実行する（Ｓ６）。
【００４１】
Ｓ５で累積カウント数が所定値になっていない場合には、メモリ装置３９に１秒以内である情報をセットし、記憶する（Ｓ８）。Ｓ３でメモリ装置３９に１秒以内の情報がセットされていない場合には、特定操作無しと判断し（Ｓ７）、Ｓ８に進む。
１秒以内である情報をセットした後、時間計測タイマをスタートさせる（Ｓ９）。タイマスタート後、計測時間が一定時間（ここでは１秒）を経過したか否かを判断する（Ｓ１０）。
一定時間を超えた場合には、メモリ装置３９内の１秒以内である情報「１」をクリアして「０」を記憶するとともに、累積カウント数をリセットする（Ｓ１１）。
【００４２】
この場合、マイクロコンピュータ４２は、照明ランプを点灯するための通常の制御処理を継続する（Ｓ１２）。その後、人による壁スイッチ４３での照明ランプＯＦＦ操作がなされた後にＯＮ操作がなされると（Ｓ１３）、Ｓ１に進む。
Ｓ１０で、一定時間が経過しない場合には、人による壁スイッチ４３での照明ランプＯＦＦ操作があったか否かをチェックし（Ｓ１４）、ＯＦＦ操作があった場合にはマイクロコンピュータ４２は動作を停止する（Ｓ１５）。この時、メモリ装置３９に起動時間１秒以内である情報がセットされた状態で残るので、特定操作があったということになる。
【００４３】
図６及び図７に基づいて、第２の実施形態を説明する。
［特定操作か否かの判断例２］
上記実施形態では、電源ＯＮ後の一定時間内の電源ＯＦＦ操作を特定操作とみなし、特定操作が所定回数連続して繰り返された場合を、インピーダンス制御の実行条件（特定操作パターン）としたが、本実施形態では、電源ＯＮ後の一定期間（一定の累積時間）内に電源ＯＦＦがなされた場合を特定操作とみなす。
【００４４】
特定操作か否かの判断例２の工程を、図６のタイミングチャートに基づいて説明する。
壁スイッチ４３により電源をＯＮすると(1)、直管形ＬＥＤランプ１００への通電がなされ、マイクロコンピュータ４２が起動する。マイクロコンピュータ４２は起動時に以下の処理を行う。
・時間計測開始（タイマ・スタート）
・メモリ装置３９に起動後経過時間の情報を０秒として記憶する。例えば、メモリ上のあるアドレスの内容を「０」で書き込む。
【００４５】
この例では特定の操作として、電源ＯＮ後５〜６秒以内の電源ＯＦＦの操作としているが、この時間は任意の時間で良い。また、５〜６秒の間の操作としても良いし、６秒以内の電源ＯＦＦ操作を特定操作としても良い。
マイクロコンピュータ４２は、１秒経過毎にメモリ装置３９に経過時間を更新しながら書き込む。上記例では、「０」⇒「１」⇒「２」⇒「３」⇒「４」⇒「５」となる。
なお、情報更新の周期は、上記の例では１秒経過毎であるが、この時間も任意である。特定操作を判断できる時間単位であれば任意である。
【００４６】
壁スイッチ４３により電源がＯＦＦされる(2)。この時は強制的に電源供給が停止するのでマイクロコンピュータ４２は何もできない。メモリ装置３９は不揮発性であるため、起動後経過時間の情報は５秒が記憶された状態を維持する。例えば、あるアドレスの内容が「５」の状態が電源ＯＦＦ後にもメモリ装置３９に保持される。
その後、壁スイッチ４３により電源をＯＮすると(3)、マイクロコンピュータ４２が起動し以下の処理を行う。
【００４７】
・この起動時にメモリ装置３９内の起動後経過時間の情報が５秒の状態（「５」）であることを確認することにより、前回の操作では電源ＯＮ時間が５〜６秒で電源ＯＦＦされたことが判断できる。
・時間計測開始（タイマ・スタート）
・メモリ装置３９に起動後経過時間の情報を０秒して記憶する。例えば、メモリ上のあるアドレスの内容を「０」で書き込む。
【００４８】
上記のように、電源ＯＮ時に、前回の電源ＯＮでは何秒で電源ＯＦＦ操作が行われたかを判断することができる。よって、例えば、電源ＯＮ後５〜６秒の間で電源ＯＦＦする壁スイッチ操作を５回連続行った場合は、特定の操作パターンが行われたと判断することができる。
なお、このように複数回の連続で判断する場合は、メモリ装置に連続している回数も記憶する必要があるが、どのような操作パターンにするかは任意である。また、特定操作と判断する電源ＯＮ時間は、上記の例では５〜６秒以内としているが、この時間も任意である。例えば、２〜３秒でも良いし、０〜６秒でも良い。
【００４９】
図７に基づいて、マイクロコンピュータ４２による特定操作パターンの検出動作のフローを説明する。第１の実施形態で説明した部分は適宜省略する。
Ｓ３では、メモリ装置３９に所定の範囲内の起動後経過時間が記憶（セット）されているか否かを確認する。
Ｓ８では、メモリ装置３９に起動後経過時間の情報を０秒にして記憶する。タイマがスタートすると、１秒毎に経過時間が順次更新されながら記憶されていく（Ｓ９）。タイマの一定周期（所定範囲：０〜６秒）が経過すると、メモリ装置３９に例えば「７」が記憶され、累積カウント数がリセットされる（Ｓ１１）。
この場合、メモリ装置３９には「７」が記憶されているので、Ｓ３の判断では前回の操作が特定操作ではなかったと確認できる。
【００５０】
上記各実施形態では、特定操作が複数回連続してなされたことをインピーダンス制御を実行する条件としたが、１回の特定操作で実行するようにしてもよい。
また、特定操作と判断された後に行う動作の一例としてインピーダンス制御の実行を例示したが、本発明はこれに限定されない。
【００５１】
以上、本発明の好ましい実施の形態について説明したが、本発明はかかる特定の実施形態に限定されるものではなく、上述の説明で特に限定しない限り、特許請求の範囲に記載された本発明の趣旨の範囲内において、種々の変形・変更が可能である。
本発明の実施の形態に記載された効果は、本発明から生じる最も好適な効果を例示したに過ぎず、本発明による効果は、本発明の実施の形態に記載されたものに限定されるものではない。
【符号の説明】
【００５２】
１２  ＬＥＤ素子
３５  安定器
３９  メモリ装置
４２  制御手段、時間計測手段
４３  壁スイッチ
１００  照明ランプ
１５０  照明器具
２００  照明装置
【先行技術文献】
【特許文献】
【００５３】
【特許文献１】特開２０１３−１２０７２２号公報
【図１】
2017191752.tif 000003
【図２】
2017191752.tif 000004
【図３】
2017191752.tif 000005
【図４】
2017191752.tif 000006
【図５】
2017191752.tif 000007
【図６】
2017191752.tif 000008
【図７】
2017191752.tif 000009
【図８】
2017191752.tif 000010
【図９】
2017191752.tif 000011
【図１０】
2017191752.tif 000012
【図１１】
2017191752.tif 000013
【図１２】
2017191752.tif 000014
【図１３】
2017191752.tif 000015